(57)【要約】【課題】  折り曲げ光学系を採用する撮影装置で撮影角度を切り替えてのフラッシュ撮影を可能とする。【解決手段】  撮影用ミラー部と照明用ミラー部とが一体に形成されているミラー１２０が前面位置１２０−１に位置している場合には、照明部１５０で発光させた照明光は撮影用ミラー部で反射し、照明光Ａ１１７として被写体へ照射される。このときに被写体から到来する入射光Ａ１１６が撮影用ミラー部で反射して入射すると、撮影光学部１６６は被写体像を結像させる。ミラー１２０を背面位置１２０−２へ回動させた場合には、照明部１５０からの照明光は撮影用ミラー部で反射し、照明光Ｂ１４７として被写体であるカメラユーザへ照射される。このときにカメラユーザから到来する入射光Ｂ１４６が撮影用ミラー部で反射して入射すると、撮影光学部１６６はカメラユーザの像を結像させる。【選択図】      図７
2005221822.tif 000002
【特許請求の範囲】
【請求項１】
被写体から到来する入射光を反射する入射光反射手段と、
前記反射された入射光を前記被写体の像として結像させる撮影光学部と、
照明光を発光する照明部と、
前記照明光を反射する照明光反射手段と、
前記照明光反射手段と前記入射光反射手段とを共に変動させて、前記照明光の前記照明光反射手段での反射光が前記被写体へ照射されたときの前記入射光を前記撮影光学部へ入射させる変動手段と、
を備えたことを特徴とするカメラ。
【請求項２】
前記変動手段は、前記カメラの筐体の前面と当該筐体における当該前面についての対向面である背面とのうちのいずれか一方の面が向いている方向に位置している前記被写体の像を前記撮影光学部によって結像させるように前記照明光反射手段及び前記入射光反射手段を変動させることを特徴とする請求項１に記載のカメラ。
【請求項３】
前記撮影光学部の光軸の進行方向は、前記筐体における底面の方向を向いており、
前記照明部による前記照明光の照射方向は、前記光軸とは逆の方向を向いており、
前記入射光反射手段は、前記光軸の方向に対して直角な方向から到来する前記入射光を反射して前記撮影光学部へ入射させる、
ことを特徴とする請求項２に記載のカメラ。
【請求項４】
前記変動手段は、前記照明光反射手段及び前記入射光反射手段を回動させることを特徴とする請求項２または３に記載のカメラ。
【請求項５】
前記変動手段は、前記照明光反射手段の反射面及び前記入射光反射手段の反射面を前記筐体の前記前面の側に傾斜させた回動位置と、当該２つの反射面を当該筐体の前記背面の側に傾斜させた回動位置との間で回動させることを特徴とする請求項４に記載のカメラ。
【請求項６】
前記照明光反射手段及び前記入射光反射手段は、各々の反射面を異にする一体の光学ミラー部材であることを特徴とする請求項４または５に記載のカメラ。
【請求項７】
前記光学ミラー部材は、前記筐体内の上部に配置され、且つ前記照明光反射手段の反射面と前記入射光反射手段の反射面とが隣接している、
ことを特徴とする請求項６に記載のカメラ。
【請求項８】
前記変動手段が前記照明光反射手段及び前記入射光反射手段を回動させるときの回動中心は、前記撮影光学部の光軸に垂直な軸であって、且つ、当該軸が前記入射光反射手段の反射面における当該光軸との交点を貫いていることを特徴とする請求項４から７のうちのいずれか一項に記載のカメラ。
【請求項９】
前記変動手段に前記照明光反射手段及び前記入射光反射手段を回動させるために操作される操作部を前記筐体の表面に備えたことを特徴とする請求項４から８のうちのいずれか一項に記載のカメラ。
【請求項１０】
前記照明部は、キセノン発光ランプと反射傘とを有することを特徴とする請求項１から９のうちのいずれか一項に記載のカメラ。
【請求項１１】
撮影画像を表示する表示部を前記カメラの筐体において前記照明部の下方に配置したことを特徴とする請求項１から１０のうちのいずれか一項に記載のカメラ。
【請求項１２】
被写体から到来する入射光を反射する入射光反射手段と、
前記反射された入射光を前記被写体の像として結像させる撮影光学部と、
照明光を発光する照明部と、
前記照明光を反射する照明光反射手段と、
前記照明光反射手段と前記入射光反射手段とを共に変動させて、前記照明光の前記照明光反射手段での反射光が前記被写体へ照射されたときの前記入射光を前記撮影光学部へ入射させる変動手段と、
を備えたことを特徴とする撮影装置。
【請求項１３】
前記変動手段は、前記照明光反射手段及び前記入射光反射手段を回動させることを特徴とする請求項１２に記載の撮影装置。
【発明の詳細な説明】
【技術分野】
【０００１】
本発明は、被写体像の撮影を行って画像を取得する撮影装置で使用される技術に関し、特に、筐体の前面側の方向のみならず、当該筐体に対してその他の方向に位置している被写体の撮影をも可能とする技術に関する。
【背景技術】
【０００２】
撮影した画像の記録に銀塩フィルムを使用せず、代わりに半導体等のデジタルデータの記録媒体を使用するデジタルカメラにおいては、筐体内におけるフィルムの配置などといった物理的な制約が少ないので、撮影レンズ部をカメラ筐体に対して回動可能に備えて撮影角度を自在に選択できるようにしたカメラが多数提案されている。
【０００３】
このようなカメラとして、例えば、特許文献１には、向き可変式の撮影レンズ部を備えるカメラにおいて、この撮影レンズ部の向き可変動作に対応して可変動作する被写体照明用の発光部を備える技術が開示されている。
また、市場からのカメラ筐体の薄型化のニーズに応えるため、被写体からカメラ筐体の前面に到来する入射光を直角に折り曲げてから撮影光学部へ導くようにする、いわゆる折り曲げ光学系を採用し、撮影光学部のカメラ筐体前面での突出をなくしたカメラが多数提案されている。そして、このような折り曲げ光学系を採用したカメラにおいても、撮影角度を選択できるようにしたカメラが提案されている。
【０００４】
このようなカメラとして、例えば、特許文献２には、両面が鏡面である反射鏡をカメラに備え、この反射鏡を回動させることによってカメラ筐体の前面及び背面のうちのいずれか一方から入射された入射光軸が撮像素子へ導かれるようにする技術が開示されている。
また、例えば、特許文献３には、撮影光学系に入射する光束を折り曲げる反射ミラーをカメラボディに対して光軸回りに回転自在に設ける技術が開示されている。
【特許文献１】特開平１１−１８３９８１号公報
【特許文献２】特開２００１−２６８４１６号公報
【特許文献３】特開平１１−２０５６４１号公報
【発明の開示】
【発明が解決しようとする課題】
【０００５】
上掲した特許文献１に開示されている技術では、向き可変式の撮影レンズ部を採用するため、レンズを保持する鏡枠の全長を短くしなければならず、カメラ筐体の薄型化を優先させると、例えば光学レンズの組み合わせによりズーム機能を提供するいわゆる光学ズームのような、長い鏡枠を必要とするものの搭載が難しくなってしまう。
【０００６】
一方、上掲した特許文献２や特許文献３に開示されている技術では、折り曲げ光学系を採用しているので、筐体内に長い鏡枠を装備しながらカメラ筐体を薄型とすることが比較的容易に実現できる。しかしながら、これらの技術は暗い撮影環境の下などでのフラッシュ撮影（被写体に照明光を照射して行う撮影）を考慮していないため、夜間撮影などは困難である。
【０００７】
本発明は上述した問題に鑑みてなされたものであり、その解決しようとする課題は、折り曲げ光学系を採用する撮影装置で撮影角度を切り替えてのフラッシュ撮影を可能とすることである。
【課題を解決するための手段】
【０００８】
本発明の態様のひとつであるカメラは、被写体から到来する入射光を反射する入射光反射手段と、当該反射された入射光を当該被写体の像として結像させる撮影光学部と、照明光を発光する照明部と、当該照明光を反射する照明光反射手段と、当該照明光反射手段と当該入射光反射手段とを共に変動させて、当該照明光の当該照明光反射手段での反射光が当該被写体へ照射されたときの当該入射光を当該撮影光学部へ入射させる変動手段と、を備えたことを特徴とするものである。
【０００９】
なお、上述した本発明に係るカメラにおいて、上述した変動手段は、当該カメラの筐体の前面と当該筐体における当該前面についての対向面である背面とのうちのいずれか一方の面が向いている方向に位置している被写体の像を上述の撮影光学部によって結像させるように上述の照明光反射手段及び上述の入射光反射手段を変動させるようにしてもよい。
【００１０】
なお、このカメラにおいて、前述した撮影光学部の光軸の進行方向は、上述の筐体における底面の方向を向いており、前述した照明部による前述の照明光の照射方向は、当該光軸とは逆の方向を向いており、前述した入射光反射手段は、当該光軸の方向に対して直角な方向から到来する前述の入射光を反射して前述の撮影光学部へ入射させるようにしてもよい。
【００１１】
また、このカメラにおいて、前述した変動手段は、前述の照明光反射手段及び前述の入射光反射手段を回動させるようにしてもよい。
なお、このとき、上述した変動手段は、前述の照明光反射手段の反射面及び前述の入射光反射手段の反射面を前述の筐体の前面の側に傾斜させた回動位置と、当該２つの反射面を当該筐体の前述の背面の側に傾斜させた回動位置との間で回動させるようにしてもよい。
【００１２】
また、このとき、前述した照明光反射手段及び前述した入射光反射手段は、各々の反射面を異にする一体の光学ミラー部材としてもよい。
ここで、この光学ミラー部材は、前述の筐体内の上部に配置され、且つ前述の照明光反射手段の反射面と前述の入射光反射手段の反射面とが隣接しているものであってもよい。
【００１３】
また、このとき、前述の変動手段が前述の照明光反射手段及び前述の入射光反射手段を回動させるときの回動中心は、前述の撮影光学部の光軸に垂直な軸であって、且つ、当該軸が当該入射光反射手段の反射面における当該光軸との交点を貫いているようにしてもよい。
【００１４】
また、このとき、前述の変動手段に前述の照明光反射手段及び前述の入射光反射手段を回動させるために操作される操作部を前述の筐体の表面に備えるようにしてもよい。
また、前述した本発明に係るカメラにおいて、前述した照明部は、キセノン発光ランプと反射傘とを有するようにしてもよい。
【００１５】
また、前述した本発明に係るカメラにおいて、撮影画像を表示する表示部を当該カメラの筐体において前述の照明部の下方に配置するようにしてもよい。
また、本発明の別の態様のひとつである撮影装置は、被写体から到来する入射光を反射する入射光反射手段と、当該反射された入射光を当該被写体の像として結像させる撮影光学部と、照明光を発光する照明部と、当該照明光を反射する照明光反射手段と、当該照明光反射手段と当該入射光反射手段とを共に変動させて、当該照明光の当該照明光反射手段での反射光が当該被写体へ照射されたときの当該入射光を当該撮影光学部へ入射させる変動手段と、を備えたことを特徴とするものである。
【００１６】
なお、上述した本発明に係る撮影装置において、上述した変動手段は、上述の照明光反射手段及び上述の入射光反射手段を回動させるようにしてもよい。
【発明の効果】
【００１７】
以上のように、本発明によれば、光学ズーム等の長い鏡枠を必要とするものを薄型の筐体に提供しつつ、暗い撮影環境の下でも撮影角度を切り替えての撮影が可能となるという効果を奏する。
【発明を実施するための最良の形態】
【００１８】
以下、本発明の実施の形態を図面に基づいて説明する。
まず図１及び図２について説明する。
図１は本発明を実施するカメラ（デジタルカメラ）の構造を示しており、（ａ）はこのカメラの前面図、（ｂ）はこのカメラの上面図、（ｃ）はこのカメラの左側面図、そして（ｄ）はこのカメラの右側面図をそれぞれ示している。また、図２は、このカメラの背面図を示している。このカメラは、後述する撮影光学部１６６と照明部１５０とからなる撮影装置を内蔵している。
【００１９】
なお、このカメラの説明においては、カメラのユーザが自分自身ではない被写体の撮影を行うためにカメラを構えたときに被写体が面するカメラの筐体面を「前面」と称し、この面を基準として「前面」、「背面」、「上面」、「左側面」、「右側面」、及び「底面」を定義している。
【００２０】
まず図１（ａ）に示す前面図に注目する。
筐体１００の前面上部中央付近には撮影窓Ａ１１１が設けられている。筐体１００の前面側に位置している被写体から到来する入射光は撮影窓Ａ１１１からこのカメラの筐体１００内に取り込まれる。
【００２１】
撮影窓Ａ１１１の同図における右側には照明窓Ａ１１２が設けられている。筐体１００内で発光させた照明光は、照明窓Ａ１１２を経て筐体１００外へ放射され、筐体１００の前面側に位置している被写体へ照射される。
撮影窓Ａ１１１及び照明窓Ａ１１２から筐体１００内を覗くと、被写体から到来する入射光を反射する撮影用ミラー部１２１と、照明光を反射する照明用ミラー部１２２とが筐体１００内の上部にそれぞれ配置されていることが分かる。この撮影用ミラー部１２１と照明用ミラー部１２２とは一体の光学ミラー部材であるので一体で形成することが可能であり、材料コストの低減に寄与する上に、カメラの構造も簡単になり、またカメラの部品点数が削減されるのでカメラの組み立ても容易になる。なお、この両者はミラー境界１２３において接している。
【００２２】
次に図１（ｂ）に示す上面図に注目する。
筐体１００の上面左部には、このカメラのユーザが押下操作によって撮影指示をカメラへ与えるためのレリースボタン１１３が配置されている。また、筐体１００の上面右部には、筐体１００内に配置されている音声記録用のマイクが周囲の音を収音できるようにするためのマイク用開口１１４が設けられている。
【００２３】
次に図２に示す背面図に注目する。
筐体１００の背面上部中央付近の撮影窓Ａ１１１に対向する裏側の位置には撮影窓Ｂ１３１が設けられている。カメラのユーザが筐体１００の背面側に位置している自分自身を被写体として撮影する、いわゆる「自分撮り」機能を実行する場合に、カメラユーザから到来する入射光が撮影窓Ｂ１３１から筐体１００内に取り込まれる。
【００２４】
撮影窓Ｂ１３１の同図における左側の照明窓Ａ１１２に対向する裏側の位置には照明窓Ｂ１３２が設けられている。上述した自分撮り機能を実行する場合には、筐体１００内で発光させた照明光は照明窓Ｂ１３２を経て筐体１００外へ放射され、筐体１００の背面側に位置しているカメラユーザへ照射される。
【００２５】
撮影窓Ｂ１３１の同図における右側には切換ダイヤル１３３が備えられている。ユーザが切換ダイヤル１３３を回す操作を行うことにより、一体の部材である撮影用ミラー部１２１及び照明用ミラー部１２２を変動させる、より具体的にはミラー回動軸１２３を回動中心として回動させることができる。この回動によって撮影用ミラー部１２１の鏡面が筐体１００の背面側を向いたときには、撮影用ミラー部１２１は被写体であるユーザから到来する入射光を反射する。
【００２６】
なお、このカメラでは、図３に示すように、筐体１００の前面と背面との間のほぼ中間の位置に配置されている撮影用ミラー部１２１及び照明用ミラー部１２２の回動中心（ミラー回動中心１２４）と、筐体１００内の背面寄りに配置されている切換ダイヤルの回動中心（ダイヤル回動中心１３４）とは側面方向から見て同軸上には配置されておらず、ユーザの操作によって切換ダイヤル１３３に与えられた回転力が歯車等の不図示の動力伝達系を介して撮影用ミラー部１２１及び照明用ミラー部１２２に伝達される。
【００２７】
筐体１００の背面左部である照明窓Ｂ１３２の下側にはＬＣＤ窓１３５が設けられている。ＬＣＤ窓１３５は、筐体１００内で照明部１５０の下方に配置される、撮影画像や各種の情報表示画面等を表示する表示装置であるＬＣＤ（Liquid Crystal Display）１３６に表示される内容をユーザが視認できるようにするためのものである。
【００２８】
筐体１００の背面に設けられている操作ダイヤル１３７、キーボタン１３８、及び操作ボタン１３９は、レリースボタン１１３と共に操作部１４０を構成しており、ユーザはこれらを操作して各種の指示をこのカメラへ与える。
なお、筐体１００の背面上部右寄りに設けられている突起１４１は、ユーザがこのカメラを右手で保持するときにおける親指の滑り止めのために設けられている。
【００２９】
また、図２には、筐体１００の内部に照明部１５０の備えられていることが示されている。照明部１５０は、照明光を発光するキセノン管１５１と、キセノン管１５１から発せられた照明光を反射してその照明方向を筐体１００の底面側から上面側への向きにする反射傘１５２とを有して構成されており、筐体１００内において、照明窓Ａ１１２及び照明窓Ｂ１３２の下方であってＬＣＤ１３６の上方に配置される。なお、キセノン管１５１の代わりに、例えばＬＥＤ（Light Emitting Diode：発光ダイオード）を、照明光を発光させる素子として使用することもできる。
【００３０】
次に図４について説明する。同図は、図１に示したカメラの断面図であり、（ａ）は図１に示されているｘ−ｘの線を切断線とする筐体１００の断面を、また、（ｂ）は図１に示されているｙ−ｙの線を切断線とする筐体１００の断面を、それぞれ示している。
図１（ａ）に示されているように、切断線ｘ−ｘは、撮影光学部１６６の光軸に沿って、撮影窓Ａ１１１及び撮影用ミラー部１２１と、筐体１００内に配置されている鏡枠１６０とを貫いている。図４（ａ）に示すように、この鏡枠１６０には、撮影光学部１６６の前段を構成するレンズＡ１１５、レンズＢ１４５、及び撮影用ミラー部１２１と、撮影光学部１６６の後段を構成するレンズ１６１、ズームレンズ１６２、及びフォーカスレンズ１６３と、ＬＰＦ１６４及びＣＣＤ１６５とが同図における上方から並べられて配置されている。
【００３１】
撮影光学部１６６は、被写体からの入射光Ａ１１６又はＢ１４６を撮影用ミラー部１２１で反射させ、ＣＣＤ１６５の受光面にその被写体の光学像を結像させる。ＣＣＤ（Charge Coupled Device ）１６５は、その光学像を光電変換してその被写体像を表す電気信号を出力する。なお、ＬＰＦ１６４は光学的な空間フィルターである。
【００３２】
また、図４（ａ）においては、前述した切換ダイヤル１３３を操作することによって撮影用ミラー部１２１が前面位置１２１−１と背面位置１２１−２との間で回動する。ここで、前面位置１２１−１は撮影用ミラー部１２１の反射面を筐体１００の前面側（図４（ａ）における筐体１００の左側）に、入射光Ａ１１６の光軸に対して４５°傾斜させた回動位置であり、背面位置１２１−２は撮影用ミラー部１２１の反射面を筐体１００の背面側（図４（ａ）における筐体１００の右側）に、入射光Ｂ１４６の光軸に対して４５°傾斜させた回動位置である。撮影用ミラー部１２１は、前面位置１２１−１にある場合には、入射光Ａ１１６の光軸（光軸Ａ）を撮影光学部１６６の後段に対応する光軸（光軸Ｃ）に折り曲げ、背面位置１２１−２にある場合には、入射光Ｂ１４６の光軸（光軸Ｂ）を光軸Ｃに折り曲げる。
【００３３】
なお、図４（ａ）に示すように、撮影用ミラー部１２１及び照明用ミラー部１２２（図４（ａ）では不図示）を回動させるときの回動中心軸であるミラー回動中心１２４は、光軸Ｃに垂直な軸であって、且つ、この軸が撮影用ミラー部１２１の反射面におけるこの撮影光軸との交点を貫いている位置に配置されている。ミラー回動中心１２４をこの位置に配置することにより、カメラの前面側と背面側とに配置する光学系を対称なものとして構成することが可能となり、調整が容易となる上に、安定した光学系の提供が容易となる。
【００３４】
このカメラを用いて通常の撮影、すなわち筐体１００の前面側に位置している被写体の撮影、を行う場合には、カメラユーザは切換ダイヤル１３３を操作して撮影用ミラー部１２１を回動させて前面位置１２１−１に位置させる。このとき、被写体から到来する入射光Ａ１１６は、撮影窓Ａ１１１から筐体１００内に侵入し、レンズＡ１１５を通過した後に撮影用ミラー部１２１によって反射して光軸Ａが光軸Ｃへと直角に曲げられて筐体１００における底面へ向かう方向に向き、撮影光学部１６６の後段に入射する。すると、撮影光学部１６６は、この被写体の光学像をＣＣＤ１６５の受光面に結像させる。
【００３５】
一方、このカメラを用いて前述した自分撮り機能を実行する場合には、筐体１００の背面側に位置しているカメラユーザは切換ダイヤル１３３を操作して撮影用ミラー部１２１を回動させて背面位置１２１−２に位置させる。このとき、被写体であるカメラユーザから到来する入射光Ｂ１４６は、撮影窓Ｂ１３１から筐体１００内に侵入し、レンズＢ１４５を通過した後に撮影用ミラー部１２１によって反射してその光軸Ｂが光軸Ｃへと直角に曲げられて筐体１００における底面へ向かう方向に向き、撮影光学部１６６に入射する。すると、撮影光学部１６６は、この被写体であるカメラユーザの光学像をＣＣＤ１６５の受光面に結像させる。
【００３６】
次に図４（ｂ）について説明する。図１（ａ）に示した切断線ｙ−ｙは、照明光の中心に沿って照明窓Ａ１１２及び照明用ミラー部１２２を貫いている。図４（ｂ）の断面図には、照明窓Ａ１１２、照明窓Ｂ１３２、照明部１５０であるキセノン管１５１及び反射傘１５２、ＬＣＤ窓１３４、ＬＣＤ１３５などが示されている。
【００３７】
キセノン管１５１から発せられた照明光は、反射傘１５２によってその照射方向が筐体１００における上面へ向かう方向（すなわち、撮影光学部１６６に入射させる被写体からの入射光の光軸とは逆の方向）に向く。
また、図４（ｂ）においては、前述した切換ダイヤル１３３を操作することによって撮影用ミラー部１２１と共に照明用ミラー部１２２が前面位置１２２−１と背面位置１２２−２との間で回動する。ここで、前面位置１２２−１は照明用ミラー部１２２の反射面を筐体１００の前面側（図４（ｂ）における筐体１００の左側）に、撮影用ミラー部１２１の反射面と同角度に傾斜させた回動位置であり、前面位置１２２−１は照明用ミラー部１２２の反射面を筐体１００の背面側（図４（ａ）における筐体１００の右側）に、撮影用ミラー部１２１の反射面と同角度に傾斜させた回動位置である。
【００３８】
ここで、このカメラを用いて前述した通常の撮影を行う場合には、カメラユーザが切換ダイヤル１３３を前述したように操作することによって撮影用ミラー部１２１と共に照明用ミラー部１２２が回動して前面位置１２２−１に位置することとなる。すると、照明部１５０からの照明光は、照明用ミラー部１２２で反射されて照射方向が直角に曲げられ、照明光Ａ１１７として照明窓Ａ１１２から被写体へ照射される。
【００３９】
一方、このカメラを用いて前述した自分撮り機能を実行する場合には、カメラユーザが切換ダイヤル１３３を前述したように操作することによって撮影用ミラー部１２１と共に照明用ミラー部１２２が回動して背面位置１２２−２に位置することとなる。すると、照明部１５０からの照明光は、照明用ミラー部１２２で反射されて照射方向が直角に曲げられ、照明光Ｂ１４７として照明窓Ｂ１３２から被写体であるカメラユーザへ照射される。
【００４０】
このように、撮影用ミラー部１２１と一体である照明用ミラー部１２２を回動させて照明光の照射方向を変化させるようにしたので、照明光の照射方向とカメラの撮影方向とを同じ方向に向かせるときの向きの制度が向上し、また、撮影用ミラー部１２１と照明用ミラー部１２２とを別々に回動させるような煩わしい操作をカメラユーザに強いることもなく、更には、撮影用ミラー部１２１とは別体の部材（例えば反射傘１５１）を変動可能として照明光の照射方向を変化させるようなものに比べ、構造が簡単となる。
【００４１】
次に図５について説明する。同図は図１に示したカメラの機能構成を示している。
図５において、撮像部１７１、画像処理部１７２、内蔵メモリ１７３、画像表示部１７４、及びＣＰＵ１７５は各々バス１７６に接続されており、ＣＰＵ１７５の管理の下で各種のデータを相互に授受することができる。
【００４２】
被写体から到来する入射光は、撮影用ミラー部１２２で反射した後に撮像光学部１６６後段に入射する。撮像光学部１６６は、撮影用ミラー部１２１で反射した被写体からの入射光が入射するとＣＣＤ１６５の受光面にその被写体の光学像を結像させる。ＣＣＤ１６５は、その光学像を光電変換してその被写体像を表す電気信号を出力する。
【００４３】
撮像部１７１はＣＣＤ１６５を駆動させると共に、ＣＣＤ１６５から出力される電気信号をアナログ−デジタル変換し、被写体像が表されている画像を表現しているデジタルデータ（画像データ）を出力する。
画像処理部１７２は、ＣＰＵ１７５からの指示に応じ、各種の画像処理を画像データに対して施す他、画像データのデータ圧縮処理、圧縮されている画像データの伸張処理なども行う。
【００４４】
内蔵メモリ１７３は、ＲＯＭ（Read Only Memory）、ＲＡＭ（Random Access memory）、及びフラッシュメモリを有している。ＲＯＭには、ＣＰＵ１７５によって実行される各種の制御プログラムが予め格納されている。ＲＡＭは、ＣＰＵ１７５が制御プログラムを実行する際や画像処理部１７２が各種の処理を実行する際に作業用メモリとして使用し、また、各種のデータの一時的な記憶用メモリとしても使用される。フラッシュメモリは、撮影によって得られた画像データの記録に用いられる。
【００４５】
画像表示部１７４はＬＣＤ１３６を駆動させると共に、ＣＰＵ１７５からの指示に応じ、撮影画像である画像データや各種の情報が示されている情報表示画面についての画像データをデジタル−アナログ変換してこの撮影画像や情報表示画面をＬＣＤ１３６に表示させる。
【００４６】
ＣＰＵ１７５は、内蔵メモリ１７３のＲＯＭに格納されている制御プログラムを実行することによってこのカメラ全体の動作を制御する。
操作部１４０は、前述したようにレリースボタン１１３、操作ダイヤル１３７、キーボタン１３８、及び操作ボタン１３９などを有しており、これらの操作内容を取得してＣＰＵ１７５に伝える。ＣＰＵ１７５は、これらの操作内容に対応付けられているユーザからの各種の指示を取得する。
【００４７】
フォーカス駆動部１７７は、ＣＰＵ１７５からの指示に応じて撮影光学部１６６のフォーカスレンズ１６３を変動させてこのカメラの合焦位置を変化させる。
ズーム駆動部１７８は、ＣＰＵ１７５からの指示に応じて撮影光学部１６６のズームレンズ１６２を変動させてこのカメラにズーム動作を行わせる。
【００４８】
ポジション検出ＳＷ（スイッチ）１７９は、切換ダイヤル１３３に対する回転操作が歯車等の伝達部１８２を介して伝えられることによって回動する、撮影用ミラー部１２１（及び照明用ミラー部１２２）の回動位置が前述した前面位置であるか背面位置であるかを検出するスイッチである。ＣＰＵ１７５は、ポジション検出ＳＷ１７９で得られた検出結果に基づいて、前述した通常の撮影と自分撮り機能での撮影とにおける動作切り替え（ズームレンズ１６２及びフォーカスレンズ１６３の変動や撮影画像の天地反転など）ための各種処理の実行指示を各部に対して行う。
【００４９】
照明制御部１８０は、ＣＰＵ１７５からの指示に応じて照明部１５０のキセノン管１５１を発光させる。
コンデンサ１８１は、キセノン管１５１を発光させるための電荷を蓄える。なお、例えば発光素子としてＬＥＤを用いる場合には、このような発光のためのコンデンサ１８１は不要である。
【００５０】
次に、暗い撮影環境の下などでの撮影、すなわち照明部１５０で発光させた照明光を被写体に照射しながら撮影を行う場合における照明光及び被写体からの入射光の経路について、前述した通常の撮影の場合と自分撮り機能での撮影とに分け、図６及び図７を参照しながら説明する。ここで、図６は、図１に示したカメラ内外の光路を模式的に示したものである。また、図７は、図６における筐体１００内の光路を模式的に示したものである。
【００５１】
なお、図６及び図７の斜視図においては、左下に向く方向が筐体１００の前面の方向、すなわち通常の撮影において被写体が位置している方向であり、右上に向く方向が筐体１００の背面の方向、すなわち自分撮り機能での撮影において被写体であるカメラユーザ１９０が位置している方向である。
【００５２】
また、図６及び図７においては、撮影用ミラー部１２１と照明用ミラー部１２２とを一体にしたミラー１２０を示している。従って、図７には、図１に示すカメラにおける本発明の要部である撮影装置を構成する、撮影鏡枠１６０（の内部）、照明部１５０、及びミラー１２０が示されている。
【００５３】
まず通常の撮影の場合について説明する。この場合、カメラユーザ１９０は切換ダイヤル１８２を回転操作してミラー１２０を回動させて前面位置１２０−１に位置させる。
ユーザがレリースボタンを押下して撮影指示をＣＰＵ１７５に与えると、ＣＰＵ１７５は照明部１５０に指示を与えて照明光を発光させる。この照明光はミラー１２０で反射されて照射方向が直角に曲げられ、照明光Ａ１１７として照明窓Ａ１１２を通して筐体１００から被写体へ照射される。
【００５４】
照明光Ａ１１７が照射された被写体から到来する入射光Ａ１１６は、撮影窓Ａ１１１を通って筐体１００内に侵入すると、ミラー１２０によって反射してその光軸が直角に曲げられて筐体１００における底面へ向かう方向に向き、撮影光学部１６６の後段に入射する。撮影光学部１６６は、この被写体の光学像をＣＣＤ１６５の受光面に結像させる。ＣＣＤ１６５は、その光学像を光電変換してその被写体像を表す電気信号を出力する。この電気信号はその後撮像部１７１で画像データに変換され、画像処理部１７２でデータ圧縮処理が施された後に内蔵メモリ１７３に記録され、このカメラでの撮影動作が完了する。
【００５５】
次に自分撮り機能での撮影の場合について説明する。この場合、カメラユーザ１９０は切換ダイヤル１８２を回転操作することによりミラー１２０をミラー回動方向１２５の方向に回動させて背面位置１２０−２に位置させる。
ユーザがレリースボタンを押下して撮影指示をＣＰＵ１７５に与えると、ＣＰＵ１７５は照明部１５０に指示を与えて照明光を発光させる。この照明光はミラー１２０で反射されて照射方向が直角に曲げられ、照明光Ｂ１４７として照明窓Ｂ１３２を通して筐体１００から被写体であるカメラユーザ１９０へ照射される。
【００５６】
照明光Ｂ１４７が照射されたカメラユーザ１９０から到来する入射光Ｂ１４６は、撮影窓Ｂ１３１を通って筐体１００内に侵入すると、ミラー１２０によって反射してその光軸が直角に曲げられて筐体１００における底面へ向かう方向に向き、撮影光学部１６６の後段に入射する。撮影光学部１６６は、被写体であるカメラユーザ１９０の光学像をＣＣＤ１６５の受光面に結像させる。ＣＣＤ１６５は、その光学像を光電変換してカメラユーザ１９０の像を表す電気信号を出力する。この電気信号はその後撮像部１７１で画像データに変換され、画像処理部１７２でデータ圧縮処理が施された後に内蔵メモリ１７３に記録され、このカメラでの撮影動作が完了する。
【００５７】
以上のように、図１に示すカメラは、撮影光学部１６６と変動可能な撮影用ミラー部１２１とによる折り曲げ光学系の採用によって筐体１００の前面方向と背面方向との撮影を切り替えて行うことが可能であり、しかも、撮影用ミラー部１２１と共に変動する照明用ミラー部１２２によって照明部１５０で発光させた照射光が折り曲げられて被写体に照射されるので、撮影角度を筐体１００の前面方向と背面方向とに切り替えてのどちらの方向においてもフラッシュ撮影が可能である。
【００５８】
その他、本発明は、上述した実施形態に限定されることなく、本発明の要旨を逸脱しない範囲内で種々の改良・変更が可能である。
例えば、上述した実施形態においては、ミラー１２０を回動させるための動力をカメラユーザ１９０による切換ダイヤル１３３の回転操作に頼っていたが、その代わりに、このカメラに電動モータを装備し、この電動モータの回転力でミラー１２０を回動させるようにしてもよい。
【図面の簡単な説明】
【００５９】
【図１】本発明を実施するカメラの構造を示す図である。
【図２】図１に示したカメラの背面図である。
【図３】ダイヤルの回動中心とミラー回動中心との位置関係を示す図である。
【図４】図１に示したカメラの断面図である。
【図５】図１に示したカメラの機能構成図である。
【図６】図１に示したカメラの内外の光路を示す模式図である。
【図７】図６における筐体内での光路を示す図である。
【符号の説明】
【００６０】
１００  筐体
１１１  撮影窓Ａ
１１２  照明窓Ａ
１１３  レリースボタン
１１４  マイク用開口
１１５  レンズＡ
１１６  入射光Ａ
１１７  照明光Ａ
１２０  ミラー
１２０−１  ミラー前面位置
１２０−２  ミラー背面位置
１２１  撮影用ミラー部
１２１−１  撮影用ミラー前面位置
１２１−２  撮影用ミラー背面位置
１２２  照明用ミラー部
１２２−１  照明用ミラー前面位置
１２２−２  照明用ミラー背面位置
１２３  ミラー境界
１２４  ミラー回動中心
１２５  ミラー回動方向
１３１  撮影窓Ｂ
１３２  照明窓Ｂ
１３３  切換ダイヤル
１３４  ダイヤル回動中心
１３５  ＬＣＤ窓
１３６  ＬＣＤ
１３７  操作ダイヤル
１３８  キーボタン
１３９  操作ボタン
１４０  操作部
１４１  突起
１４５  レンズＢ
１４６  入射光Ｂ
１４７  照明光Ｂ
１５０  照明部
１５１  キセノン管
１５２  反射傘
１６０  鏡枠
１６１  レンズ
１６２  ズームレンズ
１６３  フォーカスレンズ
１６４  ＬＰＦ
１６５  ＣＣＤ
１６６  撮影光学部
１７１  撮像部
１７２  画像処理部
１７３  内蔵メモリ
１７４  画像表示部
１７５  ＣＰＵ
１７６  バス
１７７  フォーカス駆動部
１７８  ズーム駆動部
１７９  ポジション検出スイッチ
１８０  照明制御部
１８１  コンデンサ
１８２  伝達部
１９０  カメラユーザ
【図１】
2005221822.tif 000003
【図２】
2005221822.tif 000004
【図３】
2005221822.tif 000005
【図４】
2005221822.tif 000006
【図５】
2005221822.tif 000007
【図６】
2005221822.tif 000008
【図７】
2005221822.tif 000009